(57)【特許請求の範囲】
【請求項１】
パラボラ反射鏡と、該パラボラ反射鏡に固着されている支持アームにより、前記パラボラ反射鏡の焦点位置に支持されているフィードホーンとにより構成されるパラボラアンテナにおいて、
前記フィードホーンと所定の間隙を設け、少なくとも前記フィードホーンの開口部を除く周囲を覆うように前記支持アームに取り付けられたホーンルーフと、
第１のヒータ線を有する第１の融雪手段と、
前記第１のヒータ線と接続された第２のヒータ線を有する第２の融雪手段とを備え、
前記支持アームは略平行に延伸する上面と下面を有する管状とされており、
前記第１の融雪手段は前記第１のヒータ線が金属板と金属箔間に配置されてコ字状に折曲され、該コ字状の空間に発泡性の断熱材が配置されて構成されており、前記第１のヒータ線により直接加熱される前記金属板の一面が前記支持アームの上面の内側に、前記断熱材の一面が前記支持アームの下面の内側に密着するよう嵌挿されて配設されていると共に、前記第２の融雪手段は前記ホーンルーフの内面に配設されるようにしたことを特徴とするパラボラアンテナ。
【発明の詳細な説明】
【０００１】
【発明の属する技術分野】
本発明は、放送衛星および通信衛星受信用のパラボラアンテナに関するものであり、特に降雪地域に設置されるパラボラアンテナに適用にして好適なものである。
【０００２】
【従来の技術】
ＣＳ放送やＢＳ放送等を受信する通信衛星受信用パラボラアンテナは、よく知られているように、パラボラ反射鏡と、パラボラ反射鏡の焦点位置に配置されたフィードホーンとにより構成されている。このような通信衛星受信用パラボラアンテナは、ビルやマンションの屋上に設置されて、ＣＡＴＶ用として用いられたり、各住宅の衛星受信アンテナとして用いられている。
【０００３】
【発明が解決しようとする課題】
ところで、このような通信衛星受信用のアンテナパラボラは、降雪によりフィードホーンや、フィードホーンをパラボラ反射鏡の焦点位置に取り付けるための支持アーム部に雪が付着すると、反射板とフィードホーンの電波受入口であるフィードホーンとの間が雪で遮られ、フィードホーンの受信感度が低下して受信障害を引き起こすことが知られている。
【０００４】
そこで、従来からパラボラアンテナに付着する雪を防止するための提案が例えば特開平９−２７０６１２号公報等により開示されている。
上記公報に記載されている先行技術は、電熱ヒータを備えた支持アーム用の融雪部材を支持アームの上面に沿わせて配置すると共に、フィードホーンの外周にホーン用の融雪部材を配置するようにしている。さらに、支持アーム用の融雪部材にホーン用の融雪部材を組み付け、支持アーム用の融雪部材に設けられている電熱ヒータにより、ホーン用の融雪部材も加熱するようにしている。
【０００５】
しかしながら、上記したような構成の場合は、支持アーム用の融雪部材を支持アームの上面に沿わせて配置しているため、融雪部材が直接外気に曝されるため気温が低下して雪が降るような状況下においては、融雪部材の電熱ヒータの熱が外気温によって奪われ、付着した雪を融雪できる程度に加熱することができない恐れがある。特に、風が吹いているとさらに熱が奪われるようになり、付着した雪を融雪することができないようになる。
このため、場合によってはホーン用融雪部材に雪が付着して、パラボラアンテナの受信感度が低下するという問題点があった。
【０００６】
そこで、本発明は、降雪時にパラボラアンテナの支持アームやフィードホーン部に雪が付着するのを確実に防止して、受信感度の低下を招くことのないパラボラアンテナを提供することを目的としている。
【０００７】
【課題を解決するための手段】
上記目的を解決するために、本発明のパラボラアンテナは、パラボラ反射鏡と、該パラボラ反射鏡に固着されている支持アームにより、前記パラボラ反射鏡の焦点位置に支持されているフィードホーンとにより構成されるパラボラアンテナにおいて、前記フィードホーンと所定の間隙を設け、少なくとも前記フィードホーンの開口部を除く周囲を覆うように前記支持アームに取り付けられたホーンルーフと、第１のヒータ線を有する第１の融雪手段と、前記第１のヒータ線と接続された第２のヒータ線を有する第２の融雪手段とを備え、前記支持アームは略平行に延伸する上面と下面を有する管状とされており、前記第１の融雪手段は前記第１のヒータ線が金属板と金属箔間に配置されてコ字状に折曲され、該コ字状の空間に発泡性の断熱材が配置されて構成されており、前記第１のヒータ線により直接加熱される前記金属板の一面が前記支持アームの上面の内側に、前記断熱材の一面が前記支持アームの下面の内側に密着するよう嵌挿されて配設されていると共に、前記第２の融雪手段は前記ホーンルーフの内面に配設されるようにしている。
【０００９】
このような本発明によれば、支持アーム内に第１のヒータ線を有する第１の融雪手段が配設されて、支持アームの内部から加熱されると共に、フィードホーンの周囲を覆うように取り付けられたホーンルーフは第２のヒータ線を有する第２の融雪手段により内面から加熱されるようになる。このため、融雪手段が直接外気に曝されることがなく、降雪時にアーム及びホーンルーフに付着した雪を確実に融かすことができるようになる。
【００１０】
【発明の実施の形態】
本発明の実施の形態のパラボラアンテナの外観の構成を図１、図２に示す。図１は建物の外部に設置された支柱１１にパラボラアンテナが取り付けられた状態を示した側面図、図２はその正面図である。
図１、図２に示すように、パラボラアンテナはフィードホーン１とパラボラ反射鏡２とにより構成され、フィードホーン１は、パラボラ反射鏡２の裏面から延伸された支持アーム４によってパラボラ反射鏡２の焦点位置に支持されている。なお、本実施の形態のパラボラアンテナはオフセットパラボラアンテナを例示しているが、本発明はオフセットパラボラアンテナに限定されるものでない。
【００１１】
フィードホーン１は、パラボラ反射鏡２で反射された電波の受け入れ部であるホーン部（図示していない）と、このホーン部に入射された電波を所定の中間周波数に変換するＣＳ／ＢＳコンバータ３とが一体構成されている。そして、ホーン部の先端の開口部を除いた周囲はホーンルーフ５により覆われている。ホーンルーフ５は、熱伝導性の良いアルミなどによって形成され、その形状は後述するようにホーン部の外形よりやや大きい形状とされている。
【００１２】
このように構成されたパラボラアンテナは、支柱１１に取付金具６により取り付けられており、取付金具６はパラボラアンテナの仰角および方位角を調整することができる公知の構造とされている。すなわち、パラボラアンテナはその放射パターンの方位角が放送衛星あるいは通信衛星を向くように支柱１１に取付金具６で仮固定され、ついで、パラボラアンテナの放射パターンの仰角が放送衛星あるいは通信衛星を向くようにパラボラアンテナの向きを取付金具６を利用して調整する。そして、取付金具６のネジを本締めすることにより、パラボラアンテナが所定方向を向くように支柱１１に取り付けている。
【００１３】
パラボラ反射鏡２及び支持アーム４から引き出されている電源ケーブル７は、支柱１１に固定されている電源ボックス８に接続されている。なお、電源ケーブル７はケーブルバンド１２により支柱１１に固定されている。
電源ボックス８内には、図示しないが電源回路が設けられており、電源ケーブル１０により商用電源が電源回路に供給されている。
また、電源ボックス８の下部には、外気温を測定するための温度センサ９が取り付けられている。
すなわち、電源ボックス８は、温度センサ９により外気温が所定温度（例えば零度）以下になった時に、その内部に設けられている電源回路が作動して、電源ケーブル７を介して、後述するパラボラ反射鏡２、支持アーム４、及びホーンルーフ５に取り付けられているヒータ対して所定の駆動電圧を供給するようになされている。
【００１４】
パラボラ反射鏡２には、図２に破線で示すような反射鏡加熱用ヒータ１３が取り付けられており、例えば降雪にともなって外気温が所定温度以下になると、電源ボックス８内の電源回路が作動するようになされている。これにより、反射鏡加熱用ヒータ１３が通電状態となり、パラボラ反射鏡２が加熱されてパラボラ反射鏡２に付着した雪を融かすようにしている。
【００１５】
図３は、本実施の形態のパラボラアンテナのフィードホーン１、及び支持アーム４を拡大して示した図である。
この図３に示すように、支持アーム４の内部にはアームヒータ１４が嵌挿されている。そして、このアームヒータ１４の一端から引き出されている第１のリード線１４ａは、グロメット１５ａを介して支持アーム４の外側に引き出されて電源ケーブル７と接続されている。
また、アームヒータ１４の他端から引き出されている第２のリード線１４ｂは、グロメット１５ｂを介してホーンルーフ５の内側に引き出され、結合部１６によりホーンルーフ５の内壁に取り付けられているホーンルーフヒータ２１から引き出されている第３のリード線２１ａと接続されている。
なお、この図には示されていないが、第１、第２のリード線１４ａ，１４ｂが引き出されるグロメット１５ａ，１５ｂは、シリコン等によって防水処理が施されている。
【００１６】
フィードホーン１のホーン部１７の周囲を挟持するコンバータ固着部１８により、ＣＳ／ＢＳコンバータ３を備えるフィードホーン１は支持アーム４に固着されている。この際に、フィードホーン１は支持アーム４によりパラボラ反射鏡２の焦点位置に支持される。
また、ホーン部１７の先端の開口部には、防水および防塵用のホーンキャップ１７ａが取り付けられていると共に、この先端の開口部を除いたホーン部１７の周囲は、ホーン部１７と接触しない程度の間隔をあけてホーンルーフ５により覆われている。
【００１７】
図４は、支持アーム４内に配設されているアームヒータ１４の構成を示した図であり、同図（ａ）はアームヒータ１４の外観図、同図（ｂ）はアームヒータ１４が支持アーム４内に配設されている状態を示す断面図である。
この図４（ａ）に示すように、アームヒータ１４の両端からは、電源ケーブル７と接続される第１のリード線１４ａと、ホーンルーフヒータからの第３のリード線２１ａ，２１ａと接続される第２のリード線１４ｂ，１４ｂがそれぞれ引き出されている。
【００１８】
このようなアームヒータ１４は、同図（ｂ）に示すように、略コの字型の形状とされたアルミ板２１とアルミ箔２３の間にヒータ線２２が挟持されている構造とされ、ヒータ線２２により直接加熱されるアルミ板２１の一面が支持アーム４の上面と接触するように配置されている。また、アルミ板２１の内部は発泡シリコン２４で充填されており、ヒータ線２２により発生した熱が無駄に放熱されることを防止して、効率よくアルミ板２１を加熱することができるような構造とされている。
【００１９】
図４（ａ）に示すように、本実施の形態のアームヒータ１４は、断面が小判状の管とされている支持アーム４の内部に密着するよう嵌挿されるので、ヒータ線２２が加熱されることにより発生された熱は、支持アーム４に直接伝導される。また、支持アーム４内は外気に曝されていないのでヒータ線２２により発生された熱は、外気により熱を奪われることなく効率的に降雪時に雪が降り積もる支持アーム４に伝導されるので、風が吹くような悪条件であっても融雪する事ができる。
従って、降雪時、気温の低下にともなってヒータが通電状態となった際に、雪が降り積もる支持アーム４に降り積もった雪を溶かすことができるようになる。
さらにまた、アルミ板２１の内部空間に発泡シリコン２４を設けるようにしているため、ヒータからの無駄な放熱をより低減することができる。
【００２０】
このようなアームヒータ１４を形成する場合は、両面テープが取り付けられているアルミ箔２３の一方にヒータ線２２を貼着した後、ヒータ線２２が貼着された面をアルミ板２１にさらに貼着するようにする。ついで、このアルミ板２１に、略コの字型の形状となるようにプレス加工等により、折曲加工を施すようにする。そして、所定の形状に成形した発泡シリコン２４に両面テープを貼り付け、略コの字型に成形されたアルミ板２１の内側に貼り付けることで形成することができる。
【００２１】
次に、図５はホーンルーフ５の構造を示した図であり、この図５に示すように、ホーンルーフ５の内壁には、ホーンルーフ５を加熱するためのホーンルーフヒータ２１が取り付けられている。そして、このホーンルーフヒータ２１の内側には断熱シート２６が取り付けられている。
ホーンルーフヒータ２１から引き出されている第３のリード線２１ａ，２１ａと、支持アーム４の内部からグロメット１５ｂを介して引き出されている第２のリード線１４ｂ，１４ｂとは、結合部１６によって接続されている。
なお、第２のリード線１４ｂ，１４ｂが引き出されているグロメット１５ｂはシリコン２５により防水処理が施されている。
【００２２】
図６は上記したホーンルーフヒータ２１の構造を示した図であり、同図（ａ）は、その上面図、同図（ｂ）はその断面図である。
これら図６（ａ），（ｂ）に示すように、ホーンルーフヒータ２１は、両面テープ２７の上に図示するような形状のヒータ線２８が貼り付けられている。そして、このヒータ線２８の両端には、結合部２９，２９により第３のリード線２１ａ，２１ａが取り付けられている。
また、両面テープ２７上に、同図（ｂ）に示すように、アルミ箔３０が貼り付けられた構造とされている。そして、この両面テープ２７の他面をホーンルーフ５の内面に貼着することによりホーンルーフヒータ２１が、ホーンルーフ５に取り付けられている。なお、同図（ａ）ではヒータ線２８の形状を示すためにアルミ箔３０は省略して示している。
【００２３】
図７は、ホーンルーフヒータ２１から引き出されている第３のリード線２１ａ，２１ａとアームヒータ１４から引き出されているリード線１４ｂ，１４ｂとを接続する結合部１６の構造を示した図であり、同図（ａ）は結合部１６の外観図、同図（ｂ）はその断面図である。
この図７（ａ），（ｂ）に示すように、第２のリード線１４ｂと、第３のリード線２１ａの芯線３１は、圧着スリーブ３２により圧着され、その周囲が防水タイプの熱収縮チューブ３３により覆われている。そして、この防水タイプの熱収縮チューブ３３の周囲に必要に応じて自己融着テープ３４が巻回されることにより、結合部１６は防水加工が施された構造とされている。
【００２４】
このように本実施の形態においては、ホーン部１７の周囲に配置したホーンルーフ５の内壁側にもヒータ線２８を備えたホーンルーフヒータ２１を取り付けるようにしている。そしてこのホーンルーフヒータ２１のヒータ線２８と接続されている第３のリード線２１ａ，２１ａを結合部１６によりアームヒータ１４の第２のリード線１４ｂ，１４ｂと接続するようにしている。即ち、本実施の形態ではアームヒータ１４とホーンルーフヒータ２１とを直列に接続することにより、電源ボックス８からの加熱電源を、アームヒータ１４とホーンルーフヒータ２１に共に供給している。
【００２５】
従って、降雪時、気温の低下にともなってホーンルーフヒータ２１が通電状態となると、ホーンルーフ５の内側に直接貼り付けられたヒータ線２８によりホーンルーフ５も効率よく加熱され、ホーンルーフ５に降り積もる雪を溶かすことができるようになる。
また、ホーンルーフヒータ２１の内側に断熱シート２６を取り付けるようにしているため、ホーンルーフヒータ２１からの無駄な放熱を防止することができると共に、ホーンルーフ５の内側に配置されているフィードホーン１を加熱することにより発生する熱雑音を防止することができるため、熱雑音による性能の劣化を防止することができる。
また、ホーンルーフヒータ２１の第３のリード線２１ａ，２１ａは、グロメット１５ｂを介して、アームヒータ１４の第２のリード線１４ｂ，１４ｂと接続されているため、配線を簡略化することができるといった利点もある。
【００２６】
【発明の効果】
以上説明したように、本発明のパラボラアンテナは、支持アーム内に第１のヒータ線を有する第１の融雪手段が配設されて、支持アームの内部から加熱されると共に、フィードホーンの周囲を覆うように取り付けられたホーンルーフは第２のヒータ線を有する第２の融雪手段により内面から加熱されるようになる。このため、融雪手段が直接外気に曝されることがなく、降雪時にアーム及びホーンルーフに付着した雪を確実に融かすことができるようになる。これにより、パラボラアンテナのフィードホーンやアームへの着雪により受信感度が低下することを防止することができるようになる。
また、第１の融雪手段をアーム内に配設すると共に第２の融雪手段をホーンルーフの内面に配設するようにしているため、パラボラアンテナの外観を損なうことがないという利点もある。
【図面の簡単な説明】
【図１】本発明の実施の形態のパラボラアンテナの外観構成を示した側面図である。
【図２】本発明の実施の形態のパラボラアンテナの外観構成を示した正面図である。
【図３】本発明の実施の形態のパラボラアンテナの支持アーム及びフィードホーンを拡大して示した図である。
【図４】本発明の実施の形態のパラボラアンテナに設けられているアームヒータの構成を示した図である。
【図５】本発明の実施の形態のパラボラアンテナのホーンルーフの構成を示した図である。
【図６】本発明の実施の形態のパラボラアンテナに設けられているホーンルーフヒータの構成を示した図である。
【図７】本発明の実施の形態のパラボラアンテナにおける結合部の構成を示した図である。
【符号の説明】
１  フィードホーン
２  パラボラ反射鏡
３  コンバータ
４  支持アーム
５  ホーンルーフ
６  取付金具
７  電源ケーブル
８  電源ボックス
９  温度センサ
１０  電源ケーブル
１１  支柱
１２  ケーブルバンド
１３  反射鏡加熱用ヒータ
１４  アームヒータ
１４ａ，１４ｂ  リード線
１５ａ，１５ｂ  グロメット
１６，２９  結合部
１７  ホーン部
１７ａ  ホーンキャップ
１８  コンバータ固着部
２１  アルミ板
２１  ホーンルーフヒータ
２１ａ  リード線
２２  ヒータ線
２３，３０  アルミ箔
２４  発泡シリコン
２５  シリコン
２６  断熱シート
２７  両面テープ
２８  ヒータ線
３１  芯線
３２  圧着スリーブ
３３  熱収縮チューブ
３４  自己融着テープ
【図１】
0004211902.tif 000002
【図２】
0004211902.tif 000003
【図３】
0004211902.tif 000004
【図４】
0004211902.tif 000005
【図５】
0004211902.tif 000006
【図６】
0004211902.tif 000007
【図７】
0004211902.tif 000008